(57)【要約】【課題】植物の成長に合わせて植物栽培装置の単位栽培区画を面内方向や高さ方向に容易に増設可能とする。【解決手段】単位構成の植物栽培装置１の単位栽培区画を枠体部２で構成し、枠体部２を着脱自在の状態で連結する連結部材３を設けることで単位栽培区画を面内方向および高さ方向に増設できるようにした。単位栽培区画を枠体部２で構成しているので、単位栽培区画を構成する枠体部２を連結部材３により面内方向および高さ方向に増設した場合に各々の単位栽培区画同士を連通させた状態で連結構成の植物栽培装置１を構成することができる。このため、植物Ｐが横方向や高さ方向に成長した場合にその成長に合わせて植物栽培空間を広げられるように単位栽培区画を増設することができる。【選択図】図１
2014187893.tif 000002
【特許請求の範囲】
【請求項１】
植物を栽培する単位栽培区画を形成する枠体部と、
前記枠体部に係止されることで着脱自在の状態で設けられ、前記植物を養う養液を溜める養液槽を備える栽培部と、
前記枠体部に係止されることで着脱自在の状態で設けられ、前記単位栽培区画の上面または該上面に交差する面を覆うように装着される板部材と、
前記単位栽培区画を面内方向および高さ方向に増設するように前記枠体部を連結する連結部材と、
を備えることを特徴とする植物栽培装置。
【請求項２】
前記枠体部は、
前記単位栽培区画の互いに対向する側面に配置される一対の枠部と、
前記一対の枠部間に配置された梁部と、
を備え、
前記連結部材は、
前記枠部の角部に着脱自在の状態で設けられ、前記梁部を嵌め込める開口部を備える連結本体と、
前記梁部を着脱自在の状態で固定する固定部材と、
を備えること特徴とする請求項１記載の植物栽培装置。
【請求項３】
前記連結部材は、さらに、前記枠体部同士を固定するように前記連結本体および前記固定部材を覆う被覆部材を備えることを特徴とする請求項２記載の植物栽培装置。
【請求項４】
前記面内方向に隣接する前記単位栽培区画は、隣接間の前記枠体部を共有しており、
前記栽培部は、前記養液槽の取っ手部が前記枠体部上に係止されることで着脱自在の状態で設けられており、
前記面内方向に隣接する単位栽培区画の各々の養液槽において、互いに対向する辺に設けられた各々の取っ手部は、前記共有の枠体部上において該枠体部の延在方向にずれた状態で設けられていることを特徴とする請求項１、２または３記載の植物栽培装置。
【請求項５】
前記面内方向に隣接する単位栽培区画の各々の養液槽において、互いに対向する辺に設けられた各々の取っ手部は、一方の養液槽の取っ手部と、該取っ手部に対向する他方の養液槽の外壁面との間に隙間が確保されるように設けられていることを特徴とする請求項４記載の植物栽培装置。
【請求項６】
前記養液槽の内側面には、該養液槽の開口面を塞ぐ蓋部材を支持するための支持部が設けられており、
前記支持部は、前記養液槽の深さ方向の途中の位置において前記養液槽の内側面に対して交差する方向に突出し、かつ、前記養液槽の外周に沿って延在した状態で設けられていることを特徴とする請求項１〜５のいずれか１項に記載の植物栽培装置。
【請求項７】
前記板部材に植物育成用の光源を設けたことを特徴とする請求項１〜６のいずれか１項に記載の植物栽培装置。
【発明の詳細な説明】
【技術分野】
【０００１】
本発明は、花や野菜等のような植物を栽培する植物栽培装置に関するものである。
【背景技術】
【０００２】
室内での植物の栽培は、栽培の楽しみや収穫の喜びが身近な生活空間で得られるばかりでなく、室内インテリアとして心を癒してくれる重要なアイテムとなりつつある。
【０００３】
植物栽培装置については、例えば特許文献１，２に記載があり、これらの文献には、水耕栽培を用いた植物栽培装置が開示されている。土を用いない水耕栽培は、雑菌の繁殖や昆虫の発生等を抑えることができるので、室内で植物を栽培するのに適している。
【０００４】
しかし、これら特許文献１，２の植物栽培装置においては、単独では高さ方向に積み重ねることができないので、植物を増やそうとする場合は、専ら植物栽培装置を同一面内に並べるしかなく、設置面積に限りのある室内では植物をあまり増やすことができない。
【０００５】
そこで、例えば特許文献３，４，５においては、複数の植物栽培装置を高さ方向に積み重ねられる構造にすることで、限られた設置面積内でも植物を配置可能な空間を増やせるようにした植物栽培装置が提案されている。
【先行技術文献】
【特許文献】
【０００６】
【特許文献１】実開昭６２−１０２３５６号公報
【特許文献２】実開昭６３−１４３１４８号公報
【特許文献３】特開２０１２−２４０１１号公報
【特許文献４】特開２０１０−９４０２６号公報
【特許文献５】特開平１−２７７４２７号公報
【発明の概要】
【発明が解決しようとする課題】
【０００７】
しかし、上記した植物栽培装置においては、植物が成長することについて充分な考慮がなされておらず、植物が高さ方向や幅方向に成長した場合に、その成長に合わせて単位栽培区画を面内方向や高さ方向に増設することが難しいという課題がある。
【０００８】
本発明は、上述の技術的背景からなされたものであって、その目的は、植物の成長に合わせて植物栽培装置の単位栽培区画を面内方向や高さ方向に容易に増設することが可能な技術を提供することを目的とする。
【課題を解決するための手段】
【０００９】
上記課題を解決するため、請求項１記載の本発明の植物栽培装置は、植物を栽培する単位栽培区画を形成する枠体部と、前記枠体部に係止されることで着脱自在の状態で設けられ、前記植物を養う養液を溜める養液槽を備える栽培部と、前記枠体部に係止されることで着脱自在の状態で設けられ、前記単位栽培区画の上面または該上面に交差する面を覆うように装着される板部材と、前記単位栽培区画を面内方向および高さ方向に増設するように前記枠体部を連結する連結部材と、を備えることを特徴とする。
【００１０】
請求項２に記載の発明は、上記請求項１記載の発明において、前記枠体部は、前記単位栽培区画の互いに対向する側面に配置される一対の枠部と、前記一対の枠部間に配置された梁部と、を備え、前記連結部材は、前記枠部の角部に着脱自在の状態で設けられ、前記梁部を嵌め込める開口部を備える連結本体と、前記梁部を着脱自在の状態で固定する固定部材と、を備えること特徴とする。
【００１１】
請求項３に記載の発明は、上記請求項２に記載の発明において、前記連結部材は、さらに、前記枠体部同士を固定するように前記連結本体および前記固定部材を覆う被覆部材を備えることを特徴とする。
【００１２】
請求項４に記載の発明は、上記請求項１、２または３記載の発明において、前記面内方向に隣接する前記単位栽培区画は、隣接間の前記枠体部を共有しており、前記栽培部は、前記養液槽の取っ手部が前記枠体部上に係止されることで着脱自在の状態で設けられており、前記面内方向に隣接する単位栽培区画の各々の養液槽において、互いに対向する辺に設けられた各々の取っ手部は、前記共有の枠体部上において該枠体部の延在方向にずれた状態で設けられていることを特徴とする。
【００１３】
請求項５に記載の発明は、上記請求項４記載の発明において、前記面内方向に隣接する単位栽培区画の各々の養液槽において、互いに対向する辺に設けられた各々の取っ手部は、一方の養液槽の取っ手部と、該取っ手部に対向する他方の養液槽の外壁面との間に隙間が確保されるように設けられていることを特徴とする。
【００１４】
請求項６に記載の発明は、上記請求項１〜５のいずれか１項に記載の発明において、前記養液槽の内側面には、該養液槽の開口面を塞ぐ蓋部材を支持するための支持部が設けられており、前記支持部は、前記養液槽の深さ方向の途中の位置において前記養液槽の内側面に対して交差する方向に突出し、かつ、前記養液槽の外周に沿って延在した状態で設けられていることを特徴とする。
【００１５】
請求項７に記載の発明は、上記請求項１〜６のいずれか１項に記載の発明において、前記板部材に植物育成用の光源を設けたことを特徴とする。
【発明の効果】
【００１６】
請求項１記載の発明によれば、植物の成長に合わせて枠体部同士を連結部材により連結することにより、植物栽培装置の単位栽培区画を面内方向や高さ方向に容易に増設することが可能になる。
【００１７】
また、請求項２記載の発明によれば、枠体部の枠部および梁部を着脱自在の状態で固定することが可能になる。
【００１８】
また、請求項３記載の発明によれば、枠体部の連結部の外観を美しく装うことができる上、枠体部の枠部および梁部を着脱自在の状態で固定することが可能になる。
【００１９】
また、請求項４記載の発明によれば、面内方向に隣接する単位栽培区画の各々の養液槽の取っ手部同士が突き当たらないようにすることができるので、面内方向に隣接する単位栽培区画の間の枠体部を共有した状態で単位栽培区画を増設することが可能になる。
【００２０】
また、請求項５記載の発明によれば、隙間に指を入れることで養液槽の取っ手部に指をかけて掴むことができるので、面内方向に隣接する単位栽培区画の間の枠体部を共有した状態で単位栽培区画を増設することが可能になる。
【００２１】
また、請求項６記載の発明によれば、養液槽を持ち運ぶ際の揺れ等により養液槽の外部に溢れようとした養液が、養液槽内の支持部に当たり養液槽内に返すことができるので、養液槽を持ち運ぶ際に養液槽内の養液が揺れ等により外部に溢れてしまう不具合を抑制または防止することが可能になる。
【００２２】
また、請求項７記載の発明によれば、日当たりの少ない環境においても植物を栽培することが可能になる。
【図面の簡単な説明】
【００２３】
【図１】本発明の一実施の形態である植物栽培装置の単位構成の斜視図である。
【図２】図１の植物栽培装置の分解斜視図である。
【図３】図１の植物栽培装置を構成する天井部の裏面の平面図である。
【図４】（ａ）は枠体部を構成する枠部の平面図、（ｂ）は（ａ）の枠部の側面図である。
【図５】（ａ），（ｂ）は図４の枠部の角部の斜視図である。
【図６】（ａ）は枠体部を構成する梁部の平面図、（ｂ）は（ａ）の梁部の裏面の平面図、（ｃ）は（ｂ）のＩ−Ｉ線の断面図である。
【図７】図１の植物栽培装置を構成する連結部材の分解斜視図である。
【図８】図７の連結部材を構成する連結本体の斜視図である。
【図９】（ａ）は図８の連結本体の平面図、（ｂ）は（ａ）の連結本体の左側面図、（ｃ）は（ａ）の連結本体の右側面図である。
【図１０】（ａ），（ｂ）は図９の連結本体を枠部に装着する様子を示した要部斜視図である。
【図１１】図８の連結本体を枠部に装着した後の様子を示した要部斜視図である。
【図１２】（ａ）は図７の連結部材を構成する固定部材の平面図、（ｂ）は（ａ）の固定部材と連結本体および梁部との相対位置関係を示した説明図である。
【図１３】（ａ）は固定部材を装着する様子を示した要部斜視図、（ｂ）は固定部材を装着後の様子を示した要部斜視図である。
【図１４】固定部材を装着後の様子を図１３（ｂ）の反対側から見た要部斜視図である。
【図１５】（ａ）は図７の連結部材を構成するカバー部材の斜視図、（ｂ）は（ａ）のカバー部材を反対側から見た斜視図である。
【図１６】図１の植物栽培装置を構成する植物栽培部の分解斜視図である。
【図１７】図１６の植物栽培部を構成する養液槽および蓋板の平面図である。
【図１８】図１７の蓋板を外して示した養液槽の平面図である。
【図１９】（ａ）は図１８の養液槽の長辺側の側面図、（ｂ）は図１８の養液槽の短辺の側面図である。
【図２０】（ａ），（ｂ）は図１８のＩＩ−ＩＩ線の断面図である。
【図２１】本実施の形態である植物栽培装置の連結構成の一例の斜視図である。
【図２２】連結構成の植物栽培装置において隣接する養液槽の位置関係を示す要部平面図である。
【図２３】図２１の植物栽培装置から板部材および植物栽培部を取り外して示した斜視図である。
【図２４】（ａ），（ｂ）は単位栽培区画を面内方向に増設する際の共有の枠部の上部角を示した斜視図である。
【図２５】（ａ），（ｂ）は単位栽培区画を面内方向に増設する際の共有の枠部の上部角を示した斜視図である。
【図２６】（ａ）は共有の枠部の角部に装着されるカバー部材の斜視図、（ｂ）は（ａ）のカバー部材を反対側から見た要部斜視図である。
【図２７】図２３の破線で囲んだ領域Ｒ１の拡大斜視図である。
【図２８】（ａ）は図２７の連結本体にカバー部材を装着した後の要部斜視図、（ｂ）は（ａ）のカバー部材を反対側から見た要部斜視図である。
【図２９】（ａ）は上下の枠部の角部に装着されるカバー部材の斜視図、（ｂ）は（ａ）のカバー部材を反対側から見た要部斜視図である。
【図３０】（ａ）は共有となる上下の枠部の角部に装着されるカバー部材の斜視図、（ｂ）は（ａ）のカバー部材を反対側から見た要部斜視図である。
【発明を実施するための形態】
【００２４】
以下、本発明の一例としての実施の形態について、図面に基づいて詳細に説明する。なお、実施の形態を説明するための図面において、同一の構成要素には原則として同一の符号を付し、その繰り返しの説明は省略する。また、実施の形態中の寸法等の数値は例示であって、これに限定されるものではない。
【００２５】
図１は本実施の形態の植物栽培装置の単位構成の斜視図、図２は図１の植物栽培装置の分解斜視図、図３は図１の植物栽培装置を構成する天井部の裏面の平面図である。
【００２６】
図１および図２に示す本実施の形態の植物栽培装置１は、植物Ｐの栽培に適した波長の光源を持ち、養液による水耕栽培によって少ない手間で植物を栽培すると同時に、室内を洗練された空間にデザインすることが可能な連結型のミニ植物栽培装置である。この単体構成の植物栽培装置１の外形は、例えば３００ｍｍ四方の立方体状に形成されており、小型で邪魔になり難い寸法に設計されている。
【００２７】
植物栽培装置１は、花や野菜等のような植物Ｐを栽培する単位栽培区画を形成する枠体部２と、枠体部２の角部に着脱自在の状態で装着された連結部材３と、枠体部２の脚部側に着脱自在の状態で装着された植物栽培部４と、枠体部２の天井部側に着脱自在の状態で装着された板部材５とを備えている。
【００２８】
枠体部２は、植物栽培装置１の骨格部であり、図２に示すように、植物栽培装置１の両側面に配置された２個の枠部２ａと、植物栽培装置１において両側面に直交する前面および背面において両側面の枠部２ａ間を橋渡すように配置された４本の梁部２ｂとを備えている。なお、枠体部２については後ほど詳細に説明する。
【００２９】
連結部材３は、単位栽培区画を面内方向（横方向）およびこれに交差する高さ方向に増設するように枠体部２を連結する部材であり、連結本体３ａ（図２参照）と、梁部２ｂを固定する固定部材３ｂ（図２参照）と、連結本体３ａおよび固定部材３ｂを取り囲むように覆うカバー部材（被覆部材）３ｃ（図１参照）とを備えている。なお、連結部材３についても後ほど詳細に説明する。
【００３０】
植物栽培部４は、植物Ｐを栽培する部分であり、養液槽４ａと、養液槽４ａの開口面を塞ぐように覆う蓋板（蓋部材）４ｂと、養液槽４ａおよび蓋板４ｂの上面外周部を覆うカバー部材４ｃとを備えている。養液槽４ａの長手方向両端の短辺には、養液槽４ａを持ち上げるための取っ手部４ａｒが一体形成されている。養液槽４ａは、その取っ手部４ａｒが枠部２ａの脚部上に載置されることで枠部２ａ上に着脱自在の状態で支持されている。蓋板４ｂの上面には植物Ｐを植えるための穴４ｂｈが形成されている。なお、植物栽培部４についても後ほど詳細に説明する。
【００３１】
板部材５は、植物栽培装置１の単位栽培区画の上面を覆うように装着されている。板部材５は、薄板体５ａと、その裏面に装着された配線基板５ｂ（図２および図３参照）と、その配線基板５ｂの面内の配置された複数のＬＥＤ（Ｌｉｇｈｔ  Ｅｍｉｔｔｉｎｇ  Ｄｉｏｄｅ：光源）５ｃ（図３参照）とを備えている。
【００３２】
板部材５を構成する薄板体５ａは、例えばステンレスのような金属の薄板により形成されている。この薄板体５ａにおいて植物栽培装置１の前面側および背面側の部分は下方に折り曲げられており、その折り曲げられた部分が植物栽培装置１の前面側および背面側の上部２本の梁部２ｂに引っ掛けられることで板部材５は枠体部２に着脱自在の状態で支持されている。ただし、薄板体５ａを、例えばプラスチックにより形成しても良い。その場合に、薄板体５ａを透明なプラスチックで構成することにより、薄板体５ａを通して植物Ｐを観察することができるので、植物Ｐをより観察し易くすることができる。
【００３３】
板部材５を構成する配線基板５ｂには、複数のＬＥＤ５ｃが配線基板５ｂの配線に電気的に接続された状態で配線基板５ｂの面内の縦横方向に規則的に並んで実装されている。このＬＥＤ５ｃは、例えば、植物Ｐの育成に適した波長（赤色および青色の混合色）の光を発するものが使用されている。ただし、配線基板５ｂは、薄板体５ａの裏面に着脱自在の状態で装着されており、好みに応じて見た目にも綺麗な白色光を発する複数のＬＥＤ５ｃが実装された配線基板５ｂに交換することが可能な構成になっている。
【００３４】
このように人工光源としてＬＥＤ５ｃを用いたことにより、日当たりの少ない環境（室内等）でも植物Ｐを育成できる。また、省エネルギーで大光量が得られる上、長寿命である。さらに、植物Ｐの葉緑素の吸収波長に近い発光波長（青色および赤色）を持つので植物を効率的に栽培できる。しかも、紫外光が出ないので昆虫が寄りつき難く衛生的である。なお、ＬＥＤ５ｃの電源は、例えばＡＣ１００Ｖ、５０／６０Ｈｚである。
【００３５】
次に、上記した枠体部２について図４〜図６を参照して詳細に説明する。図４（ａ）は枠体部を構成する枠部の平面図、図４（ｂ）は図４（ａ）の枠部の側面図、図５（ａ），（ｂ）は図４の枠部の角部の斜視図である。
【００３６】
枠体部２を構成する枠部２ａは、植物栽培装置１の単位栽培区画の高さを規定する部材であり、上記した人工光源（ＬＥＤ５ｃ）を植物栽培部４から離れた位置で固定する機能を備えている。この枠部２ａは、例えば合板により構成されている。これにより、機械的強度を確保することができる上、枠部２ａを純粋な木材のみで形成した場合に比べて軽量化することができる。また、枠部２ａの表面には、例えば木目調の模様が形成されている。これにより、植物栽培装置１の外観を美しく装うことができる上、植物Ｐや室内との調和を図ることができる。
【００３７】
枠部２ａの平面形状は、例えば平面枠状に形成されており、その外周四隅には、直角状の切り欠き部２ａｎが形成されている。枠部２ａの一辺の長さＬ１は、例えば３００ｍｍ、枠部２ａの枠内の一辺の長さＬ２は、例えば２００ｍｍ、切り欠き部２ａｎの長さＬ３は、例えば３２ｍｍ、切り欠き部２ａｎの間の長さＬ４は、例えば２３６ｍｍである。また、枠部２ａの幅Ｗ１は、例えば５０ｍｍ、枠部２ａの厚さＴ１は、例えば２５ｍｍである。
【００３８】
また、枠部２ａの切り欠き部２ａｎにおいて枠部２ａの厚さ方向中央には、ほぞ溝部２ａｇが形成されている。ほぞ溝部２ａｇの幅Ｗ２は、例えば５ｍｍ、ほぞ溝部２ａｇの深さＤ１は、例えば１５ｍｍである。ほぞ溝部２ａｇの両側の枠部２ａ部分の厚さＴ２は、ほぞ溝部２ａｇの幅Ｗ２よりも大きく、例えば１０ｍｍ程度である。
【００３９】
次に、図６（ａ）は枠体部を構成する梁部の平面図、図６（ｂ）は図６（ａ）の梁部の裏面の平面図、図６（ｃ）は図６（ｂ）のＩ−Ｉ線の断面図である。
【００４０】
枠体部２を構成する梁部２ｂは、植物栽培装置１の単位栽培区画の幅（横方向の寸法）を規定する部材である。この梁部２ｂは、例えばステンレスのような金属で構成された矩形パイプにより形成されている。これにより、梁部２ｂを木材のみで形成した場合に比べて機械的な強度を確保できる上、金属塊で形成した場合に比べて軽量化することができる。梁部２ｂの長手方向の長さＬ５は、例えば２７４ｍｍであり、梁部２ｂの端面の縦横の長さＬ６は、例えば２０ｍｍである。
【００４１】
この梁部２ｂの長手方向の両端部の近傍において、互いに対角に位置する角部には、梁部２ｂの表面と中空内とを貫通する貫通穴２ｂｈが形成されている。この貫通穴２ｂｈは、後述するように、固定部材３ｂの一部が挿入される穴である。
【００４２】
次に、上記した連結部材３について図７〜図１５を参照して詳細に説明する。図７は図１の植物栽培装置を構成する連結部材の分解斜視図、図８は図７の連結部材を構成する連結本体の斜視図、図９（ａ）は図８の連結本体の平面図、図９（ｂ）は図９（ａ）の連結本体の左側面図、図９（ｃ）は図９（ａ）の連結本体の右側面図である。
【００４３】
図７に示すように、連結部材３は、連結本体３ａと、固定部材３ｂと、カバー部材３ｃとを備えている。なお、図７の矢印Ａ１は固定部材３ｂの挿脱方向を示し、矢印Ａ２はカバー部材３ｃの挿脱方向を示している。
【００４４】
図７〜図１１に示す連結本体３ａは、例えばステンレスまたはアルミニウムのような金属で構成された平面枠状のブロックにより形成されている。連結本体３ａを金属で構成することにより、連結本体３ａの機械的強度を向上させることができるので、耐久性を向上させることができる。連結本体３ａの縦横の長さＬ７（図９（ａ）参照）は、例えば４７ｍｍである。
【００４５】
この連結本体３ａは、平面中央に形成された貫通穴３ａｈと、相対的に薄いほぞ部３ａｔと、相対的に厚い肉厚部３ａｃとを一体で有している。
【００４６】
貫通穴３ａｈは、上記した梁部２ｂが挿入される穴であり、梁部２ｂを収まり良く嵌め合わせることが可能なように縦横の長さＬ８（図９（ａ）参照）が、梁部２ｂの縦横の長さＬ６と等しく、例えば２０ｍｍに設定されている。
【００４７】
ほぞ部３ａｔは、連結本体３ａの外周の一角部およびその両側の辺部分に形成されている。このほぞ部３ａｔは、上記した枠部２ａのほぞ溝部２ａｇに嵌め込む部分である。ほぞ部３ａｔは、連結本体３ａの側面から見た場合に連結本体３ａの厚さ方向中央に形成されている。ほぞ部３ａｔの幅Ｗ３（図９（ｂ），（ｃ）参照）は、枠部２ａのほぞ溝部２ａｇに収まり良く嵌め合わせることが可能なようにほぞ溝部２ａｇの幅Ｗ２と等しく、例えば５ｍｍである。また、ほぞ部３ａｔの長さＬ９（図９（ａ）参照）は、その全体がほぞ溝部２ａｇに収まって止まるようにほぞ溝部２ａｇの深さＤ１と等しく、例えば１５ｍｍである。
【００４８】
肉厚部３ａｃは、ほぞ部３ａｔに対して略対角位置に形成されている。この肉厚部３ａｃは、ほぞ部３ａｔを上記した枠部２ａのほぞ溝部２ａｇに嵌め込んだ場合に連結本体３ａをしっかりと固定するとともに、連結本体３ａの機械的強度を確保する部分である。この肉厚部３ａｃの長さＬ１０（図９（ａ）参照）は、上記ほぞ部３ａｔの長さＬ９よりも短く、また、連結本体３ａを枠部２ａの角部に装着した場合に連結本体３ａの外周面が枠部２ａの外周面と一致するように、例えば１２ｍｍに設定されている。また、肉厚部３ａｃの厚さＴ３（図９（ｂ），（ｃ）参照）は、例えば２０ｍｍである。
【００４９】
ここで、図１０（ａ），（ｂ）は図９の連結本体を枠部に装着する様子を示した要部斜視図、図１１は図９の連結本体を枠部に装着した後の様子を示した要部斜視図である。
【００５０】
連結本体３ａは、そのほぞ部３ａｔを、図１０（ａ），（ｂ）に示すように、枠部２ａのほぞ溝部２ａｇに嵌め合わせることで、図１１に示すように、枠部２ａに着脱自在の状態で装着することが可能な構成になっている。
【００５１】
連結本体３ａを枠部２ａに装着すると連結本体３ａの貫通穴３ａｈの一方（嵌め込み先端側）の角部と枠部２ａの切り欠き部２ａｎの角部とが一致するとともに、連結本体３ａの肉厚部３ａｃの外周面と枠部２ａの外周面と一致するようになっている。
【００５２】
なお、連結本体３ａの肉厚部３ａｃにおいて貫通穴３ａｈの内側面と連結本体３ａの外周面とを貫通する貫通穴を設けるとともに、枠部２ａにおいて当該貫通穴に一致する位置に雌ねじ穴を設け、連結本体の貫通穴３ａｈ側から肉厚部３ａｃの貫通穴を通じて雄ねじを通し、その雄ねじの先端を枠部２ａの雌ねじ穴に螺合することで連結本体３ａを枠部２ａに着脱自在の状態で固定可能な構成にしても良い。
【００５３】
次に、図１２（ａ）は図７の連結部材を構成する固定部材の平面図、図１２（ｂ）は図１２（ａ）の固定部材と連結本体および梁部との相対位置関係を示した説明図である。なお、図１３（ｂ）においては図面を見易くするため梁部２ｂにハッチングを付した。
【００５４】
固定部材３ｂは、例えばステンレスまたはアルミニウムのような金属で構成された平面矢印状の平板により形成されており、平面Ｌ字状の抑止部３ｂｃと、抑止部３ｂｃの内側角部から斜め方向に向かって延びる挿入部３ｂｉとを一体で有している。固定部材３ｂの長さＬ１１（図１２（ａ）参照）は、例えば３２ｍｍ、抑止部３ｂｃの長さＬ１２は、例えば１２ｍｍ、また長さＬ１３は、例えば２０ｍｍである。
【００５５】
この固定部材３ｂは、その挿入部３ｂｉを、図１２（ｂ）に示すように、梁部２ｂの対角の２つの貫通穴２ｂｈに挿入することで、梁部２ｂがその長手方向に移動するのを抑止する部材である。ここで、図１３（ａ）は固定部材を装着する様子を示した要部斜視図、図１３（ｂ）は固定部材を装着後の様子を示した要部斜視図、図１４は固定部材を装着後の様子を図１３（ｂ）の反対側から見た要部斜視図である。
【００５６】
図１３（ａ）に示すように、枠部２ａの角部に装着された連結本体３ａの貫通穴３ａｈに梁部２ｂの一端を挿入した後、固定部材３ｂの挿入部３ｂｉを梁部２ｂの角部に差し込むことで、図１３（ｂ）および図１４に示すように、梁部２ｂを固定することが可能な構成になっている。固定部材３ｂを枠部２ａに装着すると、固定部材３ｂの抑止部３ｂｃの外周面と枠部２ａおよび連結本体３ａの外周面とが一致するようになっている。
【００５７】
次に、図１５（ａ）は図７の連結部材を構成するカバー部材の斜視図、図１５（ｂ）は図１５（ａ）のカバー部材を反対側から見た斜視図である。なお、図１５（ａ），（ｂ）は、植物栽培装置１の終端角部に装着するカバー部材を示しており、その形状は、植物栽培装置１の装着箇所によって若干異なる。
【００５８】
カバー部材３ｃは、例えばプラスチックにより構成されており、枠部２ａから露出する連結本体３ａおよび固定部材３ｂを取り囲むように覆う部材である。カバー部材３ｃを設けることにより、連結本体３ａおよび固定部材３ｂを固定することができる。また、植物栽培装置１の隅部（枠体部の連結部分）の外観を美しく装うことができる。さらに、カバー部材３ｃをプラスチックで構成することにより、連結本体３ａのような金属が表面に剥き出しになっている場合よりも他部材が枠体部２の角部に当たった場合の衝撃を緩和することができる。
【００５９】
このカバー部材３ｃには、連結本体３ａおよび固定部材３ｂを覆うことが可能な凹部３ｃｄが設けられている。また、カバー部材３ｃの片側側面には、カバー部材３ｃを枠部２ａの角部に装着した場合に、梁部２ｂが上手く嵌め合わされるようにするための直角状の切り欠き部３ｃｎが形成されている。
【００６０】
次に、上記した植物栽培部４について図１６〜図２０を参照して詳細に説明する。図１６は図１の植物栽培装置を構成する植物栽培部の分解斜視図、図１７は図１６の植物栽培部を構成する養液槽および蓋板の平面図、図１８は図１７の蓋板を外して示した養液槽の平面図、図１９（ａ）は図１８の養液槽の長辺側の側面図、図９（ｂ）は図１８の養液槽の短辺の側面図、図２０（ａ），（ｂ）は図１８のＩＩ−ＩＩ線の断面図である。
【００６１】
図１６に示すように、植物栽培部４は、養液槽４ａと、蓋板４ｂと、カバー部材４ｃとを備えている。
【００６２】
養液槽４ａは、植物Ｐを養う水耕栽培用の必須栄養素（堆肥成分や薬効成分等）を含んだ養液を溜める容器である。土を用いない水耕栽培を採用することにより、雑菌の繁殖や昆虫の発生等を抑えることができるので、室内で植物Ｐを栽培するのに適している。
【００６３】
この養液槽４ａは、例えばガラス繊維強化プラスチック（Ｆｉｂｅｒ  Ｒｅｉｎｆｏｒｃｅｄ  Ｐｌａｓｔｉｃｓ：ＦＲＰ）により形成されている。養液槽４ａの長辺の長さＬ１４（図１７参照）は、例えば２５０ｍｍ、短辺の長さＬ１５（図１７参照）は、例えば２００ｍｍである。
【００６４】
図１６〜図２０に示すように、養液槽４ａの両短辺には、養液槽４ａを持ち上げる場合に掴む取っ手部４ａｒが形成されている。各取っ手部４ａｒの幅（養液槽４ａの短辺側の長さ）は、養液槽４ａの短辺の長さＬ１５の半分である。これにより、養液槽４ａの持ち上げや設置状態を安定させることができる。また、図１６、図１９（ｂ）に示すように、取っ手部４ａｒにおいて幅方向（養液槽４ａの短辺の長さ方向）中央には、窪み部４ａｄが形成されている。この窪み部４ａｄを設けたことにより、取っ手部４ａｒを掴み易くすることができるので、養液槽４ａを持ち上げ易くすることができる。
【００６５】
このような養液槽４ａの取っ手部４ａｒは、図１６〜図１８に示すように、養液槽４ａの長手方向両端の互いに対角の位置関係になるように設けられている。この取っ手部４ａｒを対角位置に配置せず左右対称の角部側に配置しても良いが、その場合、養液槽４ａの持ち上げや設置状態が不安定になる。これに対して、本実施の形態においては、取っ手部４ａｒを養液槽４ａの長手方向両端の対角位置に配置することにより、養液槽４ａの持ち上げや設置状態を安定させることができる。
【００６６】
また、取っ手部４ａｒを養液槽４ａの両短辺の中央に配置することもできる。この場合、養液槽４ａの持ち上げや設置状態の安定性は良いが、その場合、後述のように、枠部２ａを共有してその両側に養液槽４ａを隣接させて配置する場合に、隣接する双方の養液槽４ａの取っ手部４ａｒが突き当たり配置できなくなってしまう。このため、隣接する養液槽４ａの形状を取っ手部４ａｒ同士が突き当たらないように変えなければならず、２種類の養液槽４ａを製造しなければならなくなりコストが高くなってしまう。これに対して、本実施の形態においては、取っ手部４ａｒを対角位置に配置したことにより、隣接する養液槽４ａの取っ手部４ａｒが突き当たることなく枠部２ａを共有することができる。このため、養液槽４ａの形状を共通化することできるので、コストを低減することができる。
【００６７】
また、図１６、図１８および図２０に示すように、養液槽４ａの内側面には、蓋板４ｂを支持するための支持部４ａｓが設けられている。支持部４ａｓは、養液槽４ａの深さ方向の途中の位置において養液槽４ａの内側面に対して交差する方向に突出し、かつ、養液槽４ａの平面外周に沿って延在した状態で設けられている。このように支持部４ａｓを養液槽４ａの内側面から突出する形状としたことにより、図２０（ｂ）に示すように、養液槽４ａの搬送時の揺れ等により養液槽４ａ内の養液Ｌｑが養液槽４ａの内周部で波立ち外部に向かって溢れようとしても支持部４ａｓに当たり矢印Ａ３で示すように養液槽４ａの内部に返されるようになっている。これにより、養液槽４ａの搬送時に養液槽４ａ内の養液Ｌｑが外部に溢れるのを抑制または防止することができる。
【００６８】
次に、蓋板４ｂは、図１６および図１７（ａ）に示すように、例えば平面長方形状に形成されており、養液槽４ａの開口部を塞ぐように収まり良く嵌め込まれる。蓋板４ｂは、養液槽４ａの支持部４ａｓ上に支持されており、蓋板４ｂの裏面は養液Ｌｑ（図２０（ｂ）参照）から離れている。
【００６９】
この蓋板４ｂは、例えば発泡スチロールにより形成されている。これにより、高い断熱性および耐水性が得られる上、加工が容易で、かつ、軽量化を図ることができる。ここでは、植物Ｐを植えるための穴４ｂｈが、２個並んで配置されている場合が例示されている。ただし、穴４ｂｈの配置は、これに限定されるものではなく、例えば、穴４ｂｈを３個並べて配置しても良いし、穴４ｂｈを三角形の各頂点に位置するように配置しても良い。
【００７０】
次に、図１６に示すカバー部材４ｃは、例えばステンレスのような金属またはプラスチックの薄板により形成されている。カバー部材４ｃは、平面枠状に形成されており、その枠内に植物Ｐが配置されるようになっている。
【００７１】
また、カバー部材４ｃにおいて植物栽培装置１の前面側および背面側の部分は下方に折り曲げられており、その折り曲げられた部分が植物栽培装置１の前面側および背面側の上部の２本の梁部２ｂに引っ掛けられる。カバー部材４ｃを設けたことにより、梁部２ｂおよび養液槽４ａが隠されるので、植物栽培装置１の外観を美しく装うことができる。
【００７２】
また、カバー部材４ｃは、例えば銀色、金色または白色のような反射率の高い色、すなわち、遮光性の高い色（または材料）とされている。水耕栽培の場合、養液に光が当たると藻が発生し養液が混濁する場合がある。そこで、本実施の形態においては、カバー部材４ｃを銀色、金色または白色等のような反射率の高い色にすることにより、見た目にもスッキリとした状態になる上、カバー部材４ｃが無い場合に比べて養液に漏れ込む光の量を低減することができる。このため、光による藻の発生を低減することができるので、養液の混濁を抑制することができる。したがって、養液槽４ａ内の養液の交換作業や養液槽４ａの洗浄作業の回数を減らすことができる。
【００７３】
次に、植物栽培装置１の連結構成について図２１〜図２３を参照して詳細に説明する。図２１は本実施の形態である植物栽培装置の連結構成の一例の斜視図、図２２は連結構成の植物栽培装置において隣接する養液槽の位置関係を示す要部平面図、図２３は図２１の植物栽培装置から板部材および植物栽培部を取り外して示した斜視図である。なお、図２２は平面図であるが図面を見易くするために枠部２ａにハッチングを付した。
【００７４】
植物栽培装置１の場合、通常の家具やインテリア棚と異なり、植物Ｐが時間の経過とともに横方向や高さ方向に成長するので、その成長に柔軟に対応することが求められる。上記した特許文献３〜５では、設置面積を増大させずに載置可能な植物の数を増やすことはできるが、植物Ｐの成長については充分な考慮がなされておらず、植物Ｐの成長に柔軟に対応できない。
【００７５】
これに対して本実施の形態の植物栽培装置１においては、図２１および図２３に示すように、複数の単位栽培区画を連通させた状態で面内方向（横方向）および高さ方向に広げるように増設することが可能な構成になっている。このため、植物Ｐの成長に合わせて単位栽培区画を面内方向および高さ方向に容易に増設することができる。
【００７６】
すなわち、本実施の形態の植物栽培装置１においては面内方向に隣接する２個の単位栽培区画同士が、互いに連通した状態で増設されている。蔓植物等のように植物の中には横方向に成長する種類のものもあるが、単位栽培区画が壁面で覆われている植物栽培装置の場合、植物の横方向への成長が植物栽培装置の壁面によって阻害されてしまう。これに対して本実施の形態の植物栽培装置１においては骨格が枠体部２で構成されているので、単位栽培区画を連通させた状態で横方向に増設することができる。このため、植物Ｐの栽培空間を横方向に広げることができるので、植物Ｐの横方向への成長に柔軟に対応することができる。
【００７７】
また、面内方向に隣接する２個の単位栽培区画は、隣接間の枠部２ａを共有した状態で増設されている。これにより、枠部２ａを共有しない場合に比べて連結構成の植物栽培装置１の設置面積を低減することができる。
【００７８】
この場合、面内方向に隣接する単位栽培区画の各々の養液槽４ａの取っ手部４ａｒを共有の枠部２ａの延在方向（養液槽４ａの短辺方向）において同じ位置に設けると互いの取っ手部４ａｒが突き当たり取っ手部４ａｒを掴むことができなくなり、枠部２ａを共有することができない。そこで、本実施の形態においては、図２２に示すように、面内方向に隣接する単位栽培区画の各々の養液槽４ａにおいて、互いに対向する辺に設けられた各々の取っ手部４ａｒを、共有の枠部２ａ上において該枠部２ａの延在方向にずらした状態で設けている。これにより、隣接する養液槽４ａの取っ手部４ａｒ同士が突き当たらないので、各々の取っ手部４ａｒを掴むことができる。したがって、面内方向に隣接する単位栽培区画の間の枠部２ａを共有にすることができる。
【００７９】
また、上記のように互いに隣接する養液槽４ａの取っ手部４ａｒの位置をずらしても、取っ手部４ａｒが向かいの養液槽４ａの外壁面に突き当たってしまうと枠部２ａを共有できても取っ手部４ａｒを掴むことができなくなってしまう。そこで、本実施の形態においては、面内方向に隣接する単位栽培区画の各々の養液槽４ａにおいて、互いに対向する辺に設けられた各々の取っ手部４ａｒが、一方の養液槽４ａの取っ手部４ａｒと、その取っ手部４ａｒに対向する他方の養液槽４ａの外壁面との間に隙間が確保されるように設けられている。これにより、取っ手部４ａｒと向かいの養液槽４ａの外壁面との間にある隙間に指を入れることで取っ手部４ａｒに指をかけ掴むことができる。
【００８０】
一方、図２１および図２３に示すように、高さ方向に隣接する２個の単位栽培区画同士も、互いに連通した状態で増設されている。そして、図２１に示すように、上段の単位栽培区画を形成する枠体部２の天井部に板部材５が載置されている。
【００８１】
単位栽培区画が壁面で覆われている植物栽培装置の場合、植物の高さ方向への成長が区画間の壁面によって阻害されてしまう。これに対して本実施の形態の植物栽培装置１においては骨格が枠体部２で構成されているので、単位栽培区画を連通させた状態で高さ方向に増設することができる。このため、植物Ｐの栽培空間を高さ方向に広げることができるので、植物Ｐが高さ方向に成長して丈が伸びた場合でも柔軟に対応することができる。
【００８２】
次に、本実施の形態の植物栽培装置１において単位栽培区画を面内方向に増設する仕方を図２４〜図２６を参照して説明する。図２４および図２５は単位栽培区画を面内方向に増設する際の共有の枠部の上部角を示した斜視図である。
【００８３】
まず、図２４（ａ）に示すように、共有の枠部２ａの上部角部に上記したように連結本体３ａを装着した後、その連結本体３ａの厚さ方向左右の両側から貫通穴３ａｈに梁部２ｂの一端を挿入する。
【００８４】
続いて、左右２本の各々の梁部２ｂの対角の貫通穴２ｂｈに、上記したように固定部材３ｂの挿入部３ｂｉを挿入することにより、図２４（ｂ）に示すように、固定部材３ｂを枠部２ａの角部に装着して左右２本の梁部２ｂを固定する。
【００８５】
その後、図２５（ａ），（ｂ）に示すように、連結本体３ａおよびその両側の固定部材３ｂを覆うようにカバー部材３ｃを装着することで、共有の連結本体３ａおよびその両側の固定部材３ｂを固定する。このような作業を共有の枠部２ａの四隅で行うことで単位栽培区画を横方向に増設する。
【００８６】
ここで、図２６（ａ）は共有の枠部の角部に装着されるカバー部材の斜視図、図２６（ｂ）は図２６（ａ）のカバー部材を反対側から見た要部斜視図である。この場合、カバー部材３ｃには、連結本体３ａおよびその両側の固定部材３ｂを覆うことが可能な凹部３ｃｄが設けられている。このカバー部材３ｃの両側側面の角部には、カバー部材３ｃを共有の枠部２ａの角部に装着した場合に、左右の梁部２ｂが上手く嵌め合わされるような直角状の切り欠き部３ｃｎが形成されている。これ以外は図１５で説明したのと同じなので説明を省略する。
【００８７】
次に、本実施の形態の植物栽培装置１において単位栽培区画を高さ方向に増設する仕方を図２１〜図３０を参照して説明する。図２７は図２３の破線で囲んだ領域Ｒ１の拡大斜視図、図２８（ａ）は図２７の連結本体にカバー部材を装着した後の要部斜視図、図２８（ｂ）は図２８（ａ）のカバー部材を反対側から見た要部斜視図である。
【００８８】
まず、図２３および図２７に示すように、枠体部２を連結本体３ａおよび固定部材３ｂで固定して単位栽培区画を形成した後、１つの単位栽培区画を形成する枠体部２の上に他の単位栽培区画を形成する枠体部２を積み重ねる。図２３および図２７に示すように、枠部２ａの各角部において枠部２ａと梁部２ｂとは連結本体３ａおよび固定部材３ｂにより固定されている。
【００８９】
続いて、図２８（ａ），（ｂ）に示すように、下段の枠体部２の上部角の連結本体３ａおよび固定部材３ｂと、その上に重ねられた上段の枠体部２の下部角の連結本体３ａおよび固定部材３ｂとを一緒に覆うようにカバー部材３ｃを装着することで上下の枠体部２を固定する。このような作業を上下の枠体部２の４つの連結箇所で行う。
【００９０】
その後、上段の枠体部２の天井部に板部材５を装着することで単位栽培区画を高さ方向に増設する。
【００９１】
図２９（ａ）は上下の枠部の角部に装着されるカバー部材の斜視図、図２９（ｂ）は図２９（ａ）のカバー部材を反対側から見た要部斜視図である。この場合、カバー部材３ｃには、上下の枠部２ａの角部に装着された各々の連結本体３ａおよび固定部材３ｂを覆うことが可能な２つの凹部３ｃｄが設けられている。このカバー部材３ｃの片側側面の角部には、カバー部材３ｃを上下の枠部２ａの向かい合う角部に装着した場合に、片側の梁部２ｂが上手く嵌め合わされるような直角状の切り欠き部３ｃｎが形成されている。これ以外は図１５で説明したのと同じなので説明を省略する。
【００９２】
また、図３０（ａ）は共有となる上下の枠部の角部に装着されるカバー部材の斜視図、図３０（ｂ）は図３０（ａ）のカバー部材を反対側から見た要部斜視図である。この場合、カバー部材３ｃの両側側面の角部には、カバー部材３ｃを共有の上下の枠部２ａの向かい合う角部に装着した場合に、両側の梁部２ｂが上手く嵌め合わされるような直角状の切り欠き部３ｃｎが形成されている。これ以外は図１５および図２９で説明したのと同じなので説明を省略する。
【００９３】
このように本実施の形態の植物栽培装置１においては、単体構成および連結構成において工具を使用することなく、植物栽培装置１の組立（増設）および解体が可能である。このため、植物栽培装置１の組立（増設）および解体を容易にすることができる。また、植物栽培装置１を解体して小型にすることができるので、植物栽培装置１の持ち運びや移動を容易にすることができる。
【００９４】
また、植物栽培装置１の場合、通常の家具やインテリア棚と異なり、植物Ｐを栽培している関係上、植物Ｐの成長過程において養液槽４ａ内の養液を交換したり、植物Ｐの葉を間引いたり、枯れた部分を排除したり等のメンテナンスが必要である。
【００９５】
しかし、単位栽培区画が高さ方向に増設されている場合、上記メンテナンスの際に、上下段の単位栽培区画間に配置される２本の梁部２ｂに植物が当たり植物を傷つけてしまったり、梁部２ｂに阻まれて養液槽４ａを上手く持ち上げられなかったりする場合がある。あるいは当該梁部２ｂを取り外した状態で植物Ｐを観察したり撮影したりすることが望まれる場合もある。
【００９６】
そこで、メンテナンス等の際には、上下段の単位栽培区画間の梁部２ｂを取り外すことが考えられるが、梁部２ｂを単純に枠部２ａに嵌め込むだけの構造とした場合、梁部２ｂを外すために枠体部２を全体的に解体しなければならず、メンテナンスが手間のかかる面倒な作業になる。また、梁部２ｂを取り外す作業が面倒なので、梁部２ｂを外した状態での植物Ｐの観察や撮影を諦めてしまうこともある。
【００９７】
これに対して本実施の形態においては、枠体部２全体を解体しないでも、カバー部材３ｃを外し、固定部材３ｂを外すことにより、梁部２ｂを横方向にスライドさせて梁部２ｂだけを簡単に取り外すことができる。このため、上記したメンテナンスを容易に行うことができる。また、梁部２ｂを外した状態での植物Ｐの観察や撮影も行うことができる。そして、メンテナンス等が終了したら上記したように梁部２ｂを簡単に取り付け固定することができる。
【００９８】
また、本実施の形態１の植物栽培装置１においては、単純に単位構成の植物栽培装置１を面内方向および高さ方向に増設することで、植物Ｐの種類や数を増やせるので室内に家庭菜園を造園することもできる。さらに、飲食店であれば、自店で栽培した野菜を材料とすることでメニューに話題性を持たせることもできる。
【００９９】
以上、本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【０１００】
例えば、前記実施の形態においては、板部材を枠体部の天井部に装着した場合について説明したが、これに限定されるものではなく、板部材を枠体部の上面に交差する側面や背面等に装着しても良い。
【産業上の利用可能性】
【０１０１】
以上の説明では、本発明を室内での植物栽培装置に適用した場合について説明したが、植物栽培工場内での植物栽培装置に適用することもできる。
【符号の説明】
【０１０２】
１  植物栽培装置
２  枠体部     
２ａ  枠部
２ａｎ  切り欠き部
２ａｇ  ほぞ溝部
２ｂ  梁部
２ｂｈ  貫通穴
３  連結部材
３ａ  連結本体
３ａｈ  貫通穴
３ａｔ  ほぞ部
３ａｃ  肉厚部
３ｂ  固定部材
３ｂｃ   抑止部
３ｂｉ  挿入部        
３ｃ  カバー部材
３ｃｄ  凹部
３ｃｎ  切り欠き部
４  植物栽培部
４ａ  養液槽
４ａｒ  取っ手部
４ａｄ  窪み部
４ａｓ  支持部
４ｂ  蓋板
４ｂｈ  穴
４ｃ  カバー部材
５  板部材
５ａ  薄板体
５ｂ  配線基板
５ｃ  ＬＥＤ
Ｐ  植物
【図１】
2014187893.tif 000003
【図２】
2014187893.tif 000004
【図３】
2014187893.tif 000005
【図４】
2014187893.tif 000006
【図５】
2014187893.tif 000007
【図６】
2014187893.tif 000008
【図７】
2014187893.tif 000009
【図８】
2014187893.tif 000010
【図９】
2014187893.tif 000011
【図１０】
2014187893.tif 000012
【図１１】
2014187893.tif 000013
【図１２】
2014187893.tif 000014
【図１３】
2014187893.tif 000015
【図１４】
2014187893.tif 000016
【図１５】
2014187893.tif 000017
【図１６】
2014187893.tif 000018
【図１７】
2014187893.tif 000019
【図１８】
2014187893.tif 000020
【図１９】
2014187893.tif 000021
【図２０】
2014187893.tif 000022
【図２１】
2014187893.tif 000023
【図２２】
2014187893.tif 000024
【図２３】
2014187893.tif 000025
【図２４】
2014187893.tif 000026
【図２５】
2014187893.tif 000027
【図２６】
2014187893.tif 000028
【図２７】
2014187893.tif 000029
【図２８】
2014187893.tif 000030
【図２９】
2014187893.tif 000031
【図３０】
2014187893.tif 000032